(57)【特許請求の範囲】
【請求項１】
水平面内の第一軸に沿って荷物を搬送可能な搬送移載装置を挟んだ状態で第一軸に沿って延在する第一保管棚と第二保管棚とを備える保管棚システムであって、
前記第一保管棚の第一軸方向の一端部から第一軸に沿って外方に向かって突出する棒状の第一突出部材と、
前記第二保管棚の第一軸方向の一端部から第一軸に沿って外方に向かって突出する棒状の第二突出部材と、
前記第一保管棚と前記第一突出部材とを斜めに連結する棒状の第一斜部材と、
前記第二保管棚と前記第二突出部材とを斜めに連結する棒状の第二斜部材と、
前記第一保管棚と前記第一斜部材とに連結され、前記第一保管棚の一端部から第一軸に沿って外方に向かって突出する棒状の第一保持部材と、
前記第二保管棚と前記第二斜部材とに連結され、前記第二保管棚の一端部から第一軸に沿って外方に向かって突出し、前記第一保持部材とともに作業用の足場部材を保持する棒状の第二保持部材と、
前記第一保持部材と前記第二保持部材との間で架橋状かつ着脱可能に保持され作業者によって搬送することが可能な仮設の足場部材と
を備える保管棚システム。
【請求項２】
前記第一保持部材は、前記第一斜部材よりも外方に突出する第一延在部を備え、
前記第二保持部材は、前記第二斜部材よりも外方に突出する第二延在部を備える
請求項１に記載の保管棚システム。
【請求項３】
さらに、
前記第一突出部材と前記第一保持部材の前記第一延在部とを連結する第一補助連結部材と、
前記第二突出部材と前記第二保持部材の前記第二延在部とを連結する第二補助連結部材と、
を備える請求項２に記載の保管棚システム。
【請求項４】
さらに、
前記第一保持部材の上方において第一軸方向に沿って延びて配置され、前記第一保持部材に保持される足場部材上で作業をする作業者の転落を防止する第一安全部材と、
前記第二保持部材の上方において第一軸方向に沿って延びて配置され、前記第二保持部材に保持される足場部材上で作業をする作業者の転落を防止する第二安全部材と
を備える請求項１〜３のいずれか一項に記載の保管棚システム。
【請求項５】
前記第一安全部材は、前記第一突出部材であり、
前記第二安全部材は、前記第二突出部材である
請求項４に記載の保管棚システム。
【請求項６】
前記第一突出部材は、前記第一保管棚の内方にまで延在し、
前記第二突出部材は、前記第二保管棚の内方にまで延在する
請求項１〜５のいずれか一項に記載の保管棚システム。
【発明の詳細な説明】
【技術分野】
【０００１】
本願発明は、自動倉庫に用いられる保管棚システムに関する。
【背景技術】
【０００２】
従来、自動倉庫としては、スタッカクレーンなどの搬送移載装置を挟んで保管棚が対向して配置されるものがある。このような自動倉庫は、上下方向に荷物を並べて保管することが多く、これに対応するため搬送移載装置の高さも高くなる。
【０００３】
このような、搬送移載装置を据え付けやメンテナンスする場合、例えば作業者は保管棚の最上段の近傍で据え付けやメンテナンス作業を行う必要がある。
【０００４】
この据え付けやメンテナンス作業は高所での作業となるため、例えば、据え付けやメンテナンスの都度仮設足場を取り付けたりする場合や、保管棚の最上部に安全を確保するためメンテナンス用の点検台を設ける技術が提案されている（例えば特許文献１参照）。
【先行技術文献】
【特許文献】
【０００５】
【特許文献１】実開平０５−８９３０９号公報
【発明の概要】
【発明が解決しようとする課題】
【０００６】
ところが、保管棚が配置されている領域よりも、搬送移載装置の稼働領域が大きい場合、保管棚の妻面から外方に突出するいわゆるはね出し部にまで搬送移載装置のレールなどが設けられ、当該突出したレールの先端にダンパーストッパが取り付けられているような場合がある。
【０００７】
このような保管棚から突出した位置の装置を据え付けやメンテナンスする場合は、仮設足場を設置することで対応しているが、据え付けやメンテナンスの度に仮設足場を設置しなければならず、当該部分に仮設足場を設置することも容易ではなかった。
【０００８】
本願発明は上記課題に鑑みなされたものであり、保管棚の配置領域から突出した部分の据え付けやメンテナンスを安全かつ容易にすることができる保管棚システムの提供を目的としている。
【課題を解決するための手段】
【０００９】
上記目的を達成するために、本願発明にかかる保管棚システムは、水平面内の第一軸に沿って荷物を搬送可能な搬送移載装置を挟んだ状態で第一軸に沿って延在する第一保管棚と第二保管棚とを備える保管棚システムであって、前記第一保管棚の第一軸方向の一端部から第一軸に沿って外方に向かって突出する棒状の第一突出部材と、前記第二保管棚の第一軸方向の一端部から第一軸に沿って外方に向かって突出する棒状の第二突出部材と前記第一保管棚と前記第一突出部材とを斜めに連結する棒状の第一斜部材と、前記第二保管棚と前記第二突出部材とを斜めに連結する棒状の第二斜部材と、前記第一保管棚と前記第一斜部材とに連結され、前記第一保管棚の一端部から第一軸に沿って外方に向かって突出する棒状の第一保持部材と、前記第二保管棚と前記第二斜部材とに連結され、前記第二保管棚の一端部から第一軸に沿って外方に向かって突出し、前記第一保持部材とともに作業用の足場部材を保持する棒状の第二保持部材とを備えることを特徴とする。
【００１０】
これにより、通常操業時の搬送移載装置の動作に影響を与えることなく、据え付けやメンテナンスの際には簡単かつ安全に作業用の足場を形成することが可能となる。従って、搬送移載装置の据え付けやメンテナンス作業を安全かつ迅速に実施することが可能となる。
【００１１】
また、前記第一保持部材は、前記第一斜部材よりも外方に突出する第一延在部を備え、前記第二保持部材は、前記第二斜部材よりも外方に突出する第二延在部を備えてもかまわない。
【００１２】
これにより、第一突出部材や第二突出部材の最先端部近傍に配置される装置に対しても、第一延在部と第二延在部との間に足場を設けることで、安全かつ簡単に据え付けやメンテナンス作業を行うことができる。
【００１３】
さらに、前記第一突出部材と前記第一保持部材の前記第一延在部とを連結する第一補助連結部材と、前記第二突出部材と前記第二保持部材の前記第二延在部とを連結する第二補助連結部材とを備えてもかまわない。
【００１４】
これにより、片持ち状態の第一延在部や第二延在部が撓むことを抑制し、当該部分に設ける足場の剛性を高めることができる。従ってより安全な据え付けやメンテナンス環境を提供することが可能となる。
【００１５】
さらに、前記第一保持部材の上方において第一軸方向に沿って延びて配置され、前記第一保持部材に保持される足場部材上で作業をする作業者の転落を防止する第一安全部材と、前記第二保持部材の上方において第一軸方向に沿って延びて配置され、前記第二保持部材に保持される足場部材上で作業をする作業者の転落を防止する第二安全部材とを備えてもよい。
【００１６】
さらに、前記第一安全部材は、前記第一突出部材であり、前記第二安全部材は、前記第二突出部材であってもよい。
【００１７】
これにより、保管棚から突出した部分の作業をより安全に実施することが可能となる。
【００１８】
また、前記第一突出部材は、前記第一保管棚の内方にまで延在し、前記第二突出部材は、前記第二保管棚の内方にまで延在してもよい。
【００１９】
これによれば、第一突出部材、第二突出部材の取り付け剛性を高めることができ、安定した状態で第一突出部材と第二突出部材とを維持することが可能となる。
【発明の効果】
【００２０】
本願発明によれば、保管棚の妻面から突出した部分の据え付けやメンテナンスを安全かつ容易に実効できる。
【図面の簡単な説明】
【００２１】
【図１】図１は、自動倉庫を示す斜視図である。
【図２】図２は、自動倉庫の一端上部近傍を示す斜視図である。
【図３】図３は、保持部材に足場部材を取り付けた状態を示す斜視図である。
【図４】図４は、他の自動倉庫の一端上部近傍を示す斜視図である。
【発明を実施するための形態】
【００２２】
次に、本願発明に係る保管棚システムの実施の形態について、図面を参照しつつ説明する。なお、以下の実施の形態は、本願発明に係る保管棚システムの一例を示したものに過ぎない。従って本願発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２３】
また、図面は、本願発明を示すために適宜強調や省略、比率の調整を行った模式的な図となっており、実際の形状や位置関係、比率とは異なる場合がある。
【００２４】
図１は、自動倉庫を示す斜視図である。
【００２５】
図２は、自動倉庫の一端上部近傍を示す斜視図である。
【００２６】
これらの図に示すように自動倉庫２００は、保管棚システム１００と、搬送移載装置２０１とを備えている。なお、図２については、中搬送移載装置２０１は、軌条のみが記載されている。
【００２７】
搬送移載装置２０１は、水平面内の第一軸（図中Ｘ軸）に沿って荷物を搬送し、保管棚システム１００との間で荷物を移載する装置である。本実施の形態の場合、搬送移載装置２０１は、荷物を第一軸ばかりでなく上下方向に延びる第三軸（図中Ｚ軸）にも搬送することのできるスタッカクレーンであり、水平面内の第一軸に沿って延びる下部軌条２１０、および、上部軌条２１９に沿って走行する台車２１１と、台車に接続され第三軸に沿って配置されるマスト２１２と、マストに沿って昇降する昇降台２１３と、昇降台に取り付けられ、保管棚システム１００との間で荷物を第二軸（図中Ｙ軸）方向に移載する移載装置２１４とを備えている。
【００２８】
保管棚システム１００は、搬送移載装置２０１を第二軸方向に挟んだ状態でそれぞれが第一軸に沿って延在する第一保管棚１０１（図中二点鎖線で仮想的に示す）と第二保管棚１０２（図中二点鎖線で仮想的に示す）とを備えるシステムであって、第一突出部材１１１と、第二突出部材１１２と、第一斜部材１２１と、第二斜部材１２２と、第一保持部材１３１と、第二保持部材１３２とを備えている。また本実施の形態の場合、保管棚システム１００は、第一保管棚１０１と第二保管棚１０２とを連結し、搬送移載装置２０１の上部軌条２１９を保持する連結部材１０４と、第一補助連結部材１５１と、第二補助連結部材１５２とを備えている。
【００２９】
第一保管棚１０１、および、第二保管棚１０２は（以下これらを総称して「保管棚」と記載する場合がある）、荷物を第三軸方向と第一軸方向に並べて保管することができる棚である。保管棚は、搬送移載装置２０１側に配置される内側支柱１９１と、搬送移載装置２０１とは反対側に配置される外側支柱（図示せず）とを備えている。内側支柱１９１と、外側支柱は、それぞれ第一軸に沿って所定の間隔で複数本配置されている。
【００３０】
第一突出部材１１１、および、第二突出部材１１２（以下これらを総称して「突出部材」と記載する場合がある）は、保管棚の第一軸方向の一端部から第一軸に沿って外方に向かって突出する棒状の部材である。本実施の形態の場合、突出部材は、保管棚の第一軸方向の最端部に配置される内側支柱１９１の最上部に接続されており、当該内側支柱１９１を越えて保管棚の内方にまで延在し、複数の内側支柱１９１（本実施の形態の場合２本の内側支柱１９１）に接続されている。突出部材の材質は特に限定されるものではないが、角パイプなどの中空部材やＬ形鋼、Ｃ形鋼、Ｈ形鋼などを例示することができる。
【００３１】
また、第一突出部材１１１と第二突出部材１１２との間には、第一保管棚１０１と第二保管棚１０２との間と同様に、連結部材１０４が架橋状に取り付けられており、搬送移載装置２０１の下部軌条２１０および上部軌条２１９も、突出部材と同様に保管棚の妻面から突出した状態で保持されている。このように、保管棚が配置される領域から搬送移載装置２０１の上部軌条２１９が突出部材に連結された連結部材１０４に保持された状態で突出し、下部軌条２１０も保管棚の妻面から突出状態で敷設されることで、第一軸において保管棚の配置領域全体に搬送移載装置２０１の昇降台２１３等を移動させることができる。
【００３２】
第一斜部材１２１、および、第二斜部材１２２（以下これらを総称して「斜部材」と記載する場合がある）は、保管棚と突出部材とを斜めに連結する棒状の部材である。本実施の形態の場合、斜部材は、保管棚の第一軸方向の最端部に配置される内側支柱１９１の突出部材よりも下方の位置と突出部材の先端とに接続された部材であり、突出部材の先端を下方から支持している。斜部材の材質は特に限定されるものではないが、角パイプなどの中空部材やＬ形鋼、Ｃ形鋼、Ｈ形鋼などを例示することができる。
【００３３】
なお、斜部材は、内側支柱１９１ばかりでなく、保管棚の妻面部のいずれかに接続されれば良く、また、突出部材の先端ばかりで無く中間部に接続されても良い。
【００３４】
第一保持部材１３１、および、第二保持部材１３２（以下これらを総称して「保持部材」と記載する場合がある）は、保管棚と斜部材とに連結され、保管棚の一端部から第一軸に沿って外方に向かって突出する棒状の部材であり、後述の足場部材２０３を保持するための部材である。また保持部材は、突出部材よりも下側に配置されており、斜部材の中間位置に連結されている。本実施の形態の場合、第一保持部材１３１は、第一斜部材１２１よりも外方に突出する第一延在部１３３を備え、第二保持部材１３２は、第二斜部材１２２よりも外方に突出する第二延在部１３４を備えている。また、第一保持部材１３１と第二保持部材１３２とは同一水平面内において平行に配置されており、第一保持部材１３１と第二保持部材１３２との間に架橋状に配置される足場部材２０３を水平に維持するものとなっている。保持部材の材質は特に限定されるものではないが、角パイプなどの中空部材やＬ形鋼、Ｃ形鋼、Ｈ形鋼などを例示することができ、本実施の形態の場合はＣ形鋼が用いられている。
【００３５】
また、保持部材の突出長さと突出部材の突出長さとはほぼ同じであり、突出部材の先端部と保持部材の先端部とは第三軸に沿って延在する第一補助連結部材１５１、および、第二補助連結部材１５２でそれぞれ連結されている。
【００３６】
図３は、保持部材に足場部材を取り付けた状態を示す斜視図である。
【００３７】
同図に示すように、保持部材は、足場部材２０３を保持する機能を備えている。具体的には、足場部材２０３は、第一保持部材１３１と第二保持部材１３２との間に架橋状に配置される仮設の足場であり、作業者によって、搬送することが可能な板状の部材である。
【００３８】
足場部材２０３を設置する場合、保管棚の妻面から第一延在部１３３上、および、第二延在部１３４上に至るまで順に足場部材２０３を設置していくことができ、安全な足場を容易に設置することが可能となる。また、第一補助連結部材１５１、および、第二補助連結部材１５２は、保持部材の先端を突出部材から吊り下げた状態で保持しているため、第一延在部１３３上、および、第二延在部１３４に足場部材２０３が取り付けられ、当該足場部材２０３に作業者が乗ったとしても第一延在部１３３上、および、第二延在部１３４の撓みを抑制することができる。
【００３９】
また、本実施の形態の場合、第一突出部材１１１と第一保持部材１３１との間隔、および、第二突出部材１１２と第二保持部材１３２との間隔は、８００ｍｍ以上、１６００ｍｍ以下、好適には１０００ｍｍ以上、１４００ｍｍ以下の範囲から設定される。これにより、第一突出部材１１１が、保持部材により保持された足場部材上に立つ作業者の転落を防止する第一安全部材として機能し、第二突出部材１１２が、同様の第二安全部材として機能する。
【００４０】
以上説明したような保管棚システムによれば、保管棚が配置された領域から第一軸に沿って突出したいわゆるはね出し部において、第一保持部材１３１および第二保持部材１３２の存在により簡単かつ安全に足場部材２０３を仮設することができる。従って搬送移載装置２０１を据え付ける場合、仮設の足場を利用することにより、はね出し部における連結部材１０４の取り付けや、上部軌条２１９の取り付け、ダンパーストッパなどの取り付けを安全に実施することができる。
【００４１】
また自動倉庫２００の通常走行時には足場部材２０３を撤去することで搬送移載装置２０１が足場部材２０３と干渉することがなく、メンテナンスや点検が必要な場合は、足場部材２０３を仮設することで上部軌条２１９やダンパーストッパなどのメンテナンスや点検も簡単かつ容易に行うことが可能となる。
【００４２】
さらに、斜部材からさらに先に突出する延在部を保持部材が備えることで、上部軌条２１９の先端の下方まで足場部材２０３を仮設することができ、上部軌条２１９の先端部に設けられているダンパーストッパなどを簡単かつ安全に取り付けやメンテナンスを行うことが可能となる。
【００４３】
また、突出部材を安全部材として利用することで、保持部材に保持された足場部材２０３上の作業者の転落を防止して、より安全性を高めることが可能となる。
【００４４】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００４５】
例えば図４に示すように、第一突出部材１１１、および、第二突出部材１１２は、第一延在部１３３、および、第二延在部１３４を備えなくてもよい。
【００４６】
また、第一保持部材１３１の上方において第一軸方向に沿って延び、第一保持部材１３１に保持される足場部材２０３上で作業をする作業者の転落を防止する第一安全部材１６１と、第二保持部材１３２の上方において第一軸方向に沿って延びる第二安全部材１６２を別途備えてもかまわない。さらに、第一保持部材１３１と第一安全部材１６１を接続する第一柵部材１６３、第二保持部材１３２と第二安全部材１６２とを接続する第二柵部材１６４を備えてもかまわない。これにより作業者の安全をより高めることが可能となる。
【００４７】
また、上記実施の形態では、第一軸における保管棚の一方側の面のみについて説明したが、他方側の面にも突出部材や斜部材、保持部材などを備えていてもかまわない。
【００４８】
また、第一突出部材１１１、および、第二突出部材１１２などが保管棚の最上部に取り付けられる場合を説明したが、特に最上部に限定されるものではなく、上下方向の任意の位置に単数または複数箇所に取り付けられていても良い。また、第一突出部材１１１、および、第二突出部材１１２などが取り付けられる対象も保管棚であればよく、内側支柱１９１に限定されるものではない。
【００４９】
また、搬送移載装置２０１は、スタッカクレーンばかりで無く、荷物が保管される段ごとに台車が走行する装置や、天井などから吊り下げられた昇降台に移載装置が取り付けられた装置など、荷物を搬送し保管棚との間で移載することができる装置であれば限定されるものではない。
【産業上の利用可能性】
【００５０】
本願発明は、自動倉庫、特に据え付けやメンテナンス時に高所作業が発生する自動倉庫に好適である。
【符号の説明】
【００５１】
１００  保管棚システム
１０１  第一保管棚
１０２  第二保管棚
１０４  連結部材
１１１  第一突出部材
１１２  第二突出部材
１２１  第一斜部材
１２２  第二斜部材
１３１  第一保持部材
１３２  第二保持部材
１３３  第一延在部
１３４  第二延在部
１５１  第一補助連結部材
１５２  第二補助連結部材
１６１  第一安全部材
１６２  第二安全部材
１６３  第一柵部材
１６４  第二柵部材
１９１  内側支柱
２００  自動倉庫
２０１  搬送移載装置
２０３  足場部材
２１０  下部軌条
２１１  台車
２１２  マスト
２１３  昇降台
２１４  移載装置
２１９  上部軌条
【図１】
0006575124.tif 000002
【図２】
0006575124.tif 000003
【図３】
0006575124.tif 000004
【図４】
0006575124.tif 000005